(57)【要約】      （修正有）【課題】電解促進錠剤投入前に、発光部の発光量を調整し、受光部で受光可能な最適発光量にすることで電解促進錠剤の検知が確実な電解水散布装置の提供。【解決手段】電解促進錠剤の通過を判断する電解促進錠剤通過判定部４２と発光部３９の発光量を調整する発光量調整部４３と受光部４０からの信号を閾値Ａと比較する比較部Ａ４４を有し、電解促進錠剤投入前に受光部４０の出力が閾値Ａを超える値まで発光部３９の発光量を調整する制御部４１を備えた電解水散布装置。【選択図】図８
2019025465.tif 000002
【特許請求の範囲】
【請求項１】
電解水を生成する電解水生成部と前記電解水生成部が生成した電解水を散布する散布部と前記電解水生成部と前記散布部とを制御する制御部とを備えた電解水散布装置であって、
前記電解水生成部は、
水を貯めるための貯水部と、
前記貯水部に電解促進錠剤を投入する電解促進錠剤投入部と、
前記電解促進錠剤が投入された前記貯水部内の水を電気分解して電解水を生成する電解部と、を備え、
前記電解促進錠剤投入部は、
発光する発光部と、
前記発光部からの光を受光し当該受光した光の強度に応じて信号を出力する受光部と、を備え、
前記制御部は、
前記受光部が出力する信号の変化から前記電解促進錠剤の通過を判定する電解促進錠剤通過判定部と、
前記発光部の光の出力を調整する発光量調整部と、を備えた電解水散布装置。
【請求項２】
前記制御部は、
前記受光部の信号の出力と信号閾値Ａとを比較する比較部Ａを備え、
前記発光量調整部は、
前記比較部Ａの比較結果において前記信号の出力が前記信号閾値Ａを超えるまで前記発光部の光の出力を段階的に上昇させ、
前記電解促進錠剤通過判定部は、
前記発光部の光の出力が前記受光部における前記信号の出力が前記信号閾値Ａを超えた際の出力で前記電解促進錠剤の通過を判定する請求項１に記載の電解水散布装置。
【請求項３】
前記電解促進錠剤投入部は、
前記発光部からの光を受光し当該受光した光の強度に応じて信号を出力すると共に前記受光部よりも光の感度を高感度に設定した高感度受光部を備え、
前記制御部は、
前記高感度受光部の信号の出力と信号閾値Ｂとを比較する比較部Ｂと、
前記発光部の光の出力が前記高感度受光部における前記信号の出力が前記信号閾値Ｂを超えた際の出力を記憶する高感度発光量記憶部と、
前記発光部の発光量を最大にしても前記受光部の信号が光を受信した旨を示さない場合は前記高感度受光部が出力する信号の利用に切り替える切替部と、を備え、
前記高感度発光量記憶部に記憶している出力で前記発光部を発光させ、前記電解促進錠剤通過判定部を介して前記電解促進錠剤の通過を判定する請求項２に記載の電解水散布装置。
【請求項４】
前記制御部は、
前記発光部の光の出力がない状態で前記受光部の信号が光を受信した旨を示した場合に異常状態と判断する請求項１から３のいずれかに記載の電解水散布装置。
【請求項５】
前記制御部は、
前記発光部の光の出力が最大である状態で前記受光部の信号が光を受信していない旨を示した場合に異常状態と判断する請求項１から３のいずれかに記載の電解水散布装置。
【請求項６】
前記制御部は、
前記発光部の光の出力が最大である状態で前記受光部と前記高感度受光部の信号が光を受信していない旨を示した場合に異常状態と判断する請求項３に記載の電解水散布装置。
【請求項７】
前記制御部は、
前記発光部の光の出力が最大である状態で前記高感度受光部の信号が光を受信していない旨を示した場合に異常状態と判断する請求項３に記載の電解水散布装置。
【請求項８】
表示部を備え、
前記制御部は、
前記異常状態と判断したときに前記表示部に異常状態である旨を表示する請求項４から７のいずれかに記載の電解水散布装置。
【請求項９】
吸気口と吹出口とを有する本体ケースを備え、
前記散布部は、
前記貯水部内の電解水に浸漬させて保水し前記吸気口から流入した空気に接触するフィルター部と、
前記フィルター部に接触した空気を前記吹出口に導く送風部と、を備えた請求項１から８のいずれかに記載の電解水散布装置。
【発明の詳細な説明】
【技術分野】
【０００１】
本発明は、電解水散布装置に関する。
【背景技術】
【０００２】
従来、この種の電解水散布装置では、電解促進錠剤をユーザ自身で貯水部に投入し電解水を発生させるものが知られている（例えば、特許文献１参照）。この電解水散布装置に、薬剤供給装置の技術（例えば、特許文献２参照）を加えれば電解促進錠剤を自動投入することも可能となる。
【０００３】
以下、特許文献２の薬剤供給装置について図１３を参照しながら説明する。
【０００４】
図１３に示すように、薬剤供給装置は、薬剤１１５を収納する収納容器１１２から薬剤１１５を排出する排出ドラム１１３を有するタブレットケース１０１と、前記排出ドラム１１３を駆動するモータと、このモータの運転を制御する制御部と、前記タブレットケース１０１から薬剤１１５の排出を検知する排出検知部とを備え、前記排出検知部は発光部と受光部から構成され前記受光部からの受光信号のレベルを閾値と比較して薬剤１１５の排出を検知する。前記閾値は、薬剤１１５非排出時の受光信号レベルに応じて値を修正するものである。このような構成にすることで、発光部や受光部のばらつきを抑えた上で薬剤１１５の排出を検知できる。
【先行技術文献】
【特許文献】
【０００５】
【特許文献１】特許第４７２６８３２号公報
【特許文献２】特許第３８９５９８９号公報
【発明の概要】
【発明が解決しようとする課題】
【０００６】
ところで、発光部や受光部である各素子の基本性能のばらつきや経年劣化による性能変化が大きい場合、特許文献２に記載の技術では受光部の閾値を変更させるため、閾値が測定可能範囲外の領域になると検知ができなくなるという課題が予想できる。
【０００７】
そこで本発明は、上記従来の課題を解決するものであり、各素子の基本性能のばらつきや経年劣化による性能変化を吸収できる電解水散布装置を提供することを目的とする。
【課題を解決するための手段】
【０００８】
そして、この目的を達成するために、本発明に係る電解散布装置は、電解水を生成する電解水生成部と前記電解水生成部が生成した電解水を散布する散布部と前記電解水生成部と前記散布部とを制御する制御部とを備えた電解水散布装置であって、前記電解水生成部は、水を貯めるための貯水部と、前記貯水部に電解促進錠剤を投入する電解促進錠剤投入部と、  前記電解促進錠剤が投入された前記貯水部内の水を電気分解して電解水を生成する電解部と、を備え、前記電解促進錠剤投入部は、発光する発光部と、前記発光部からの光を受光し当該受光した光の強度に応じて信号を出力する受光部と、を備え、前記制御部は、前記受光部が出力する信号の変化から前記電解促進錠剤の通過を判定する電解促進錠剤通過判定部と、前記発光部の光の出力を調整する発光量調整部と、を備え、これにより所期の目的を達成するものである。
【発明の効果】
【０００９】
本発明の電解水散布装置によれば、受光部、発光部の基本性能のばらつきや経年劣化等による感度変化が発生しても確実に電解促進錠剤の通過を検知し、検知ミスによる電解促進錠剤の過剰な投入を防ぐことができる。
【図面の簡単な説明】
【００１０】
【図１】本発明の実施の形態１に係る電解水散布装置を示す斜視図。
【図２】同パネル開時の電解水散布装置を示す斜視図。
【図３】同電解水散布装置を示す断面図。
【図４】同電解水散布装置を示す断面図。
【図５】同電解水散布装置の機能ブロック図。
【図６】同電解水散布装置の電解促進錠剤投入部の分解斜視図。
【図７】同電解水散布装置の電解促進錠剤投入部のケース内を示す斜視図。
【図８】同電解水散布装置の電解促進錠剤投入部の機能ブロック図。
【図９】同電解水散布装置の発光量調整部の発光量を決定するための動作フローチャート。
【図１０】本発明の実施の形態２に係る電解水散布装置の電解促進錠剤投入部の機能ブロック図。
【図１１】同電解水散布装置の受光部及び高感度受光部の利用を切り替えるための動作フローチャート。
【図１２】同電解水散布装置の実施の形態２の効果を示す図。
【図１３】従来の薬剤供給装置を示す斜視図。
【発明を実施するための形態】
【００１１】
以下、本発明の実施の形態について図面を参照しながら説明する。
【００１２】
（実施の形態１）
図１は、電解水散布装置を示す斜視図であり、電解水散布装置Ｄを前面側から見た図である。図２は、電解水散布装置の斜視図であり、図１のパネル３を開いた状態で電解水散布装置を前面側から見た図である。
【００１３】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００１４】
本体ケース１の前面側から見て、右側の側面（本体ケース１の一方側の側面）である第１の本体側面１Ａには、開閉可能なパネル３が設けられている。本体ケース１の一方側の側面の吸気口２は、パネル３に設けられている。パネル３を開くと、縦長四角形状の開口４が現れる。開口４から、後述する貯水部１４や給水部１５等が取り出し可能に構成されている。また、本体ケース１の天面には電解水散布装置Ｄの状態を表示する表示部３８が設けられている。
【００１５】
図３は、電解水散布装置Ｄの正面視中央部分を縦方向に切った断面図であり、電解水散布装置Ｄを右側から見た図である。図４は、電解水散布装置Ｄの正面視右側を縦方向に切った断面図であり、電解水散布装置Ｄにおける右側から見た図である。図５は、電解水散布装置Ｄの機能をブロックで示した機能ブロック図である。
【００１６】
図２〜５に示すように、本体ケース１内には、電解水生成部５と、給水部１５と、散布部１９と、風路８とを備えている。
【００１７】
電解水生成部５は、貯水部１４と、給水部１５と、電解部１７と、電解促進錠剤投入部１８と、制御部４１を備えている。
【００１８】
貯水部１４は、天面を開口した箱形状しており、水を貯水できる構造となっている。貯水部１４は、本体ケース１の下部に配置され、本体ケース１から水平方向にスライドして着脱可能となっており、開口４から取り出すことができる。貯水部１４は、給水部１５から供給される水を貯水する。
【００１９】
給水部１５は、本体ケース１内部の正面視右側の側面に設置され、貯水部１４から着脱可能な構造となっており、開口４から取り出すことができる。給水部１５は、貯水部１４の底面に設けられたタンク保持部１４ａに装着されている。給水部１５は、水を貯水するタンク１５ａと、タンクの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００２０】
具体的には、タンク１５ａの開口を下向きにして、給水部１５を貯水部１４のタンク保持部１４ａに取り付けると、タンク保持部１４ａによって開閉部が開く。つまり、水を入れられた給水部１５がタンク保持部１４ａに取り付けられると、開閉部が開いて貯水部１４に給水され、貯水部１４内に水が溜まる。貯水部１４内の水位が上昇して蓋１５ｂのところまで到達すると給水部１５の開口が水封されるので給水が停止し、給水部１５の内部には水が残り、貯水部１４内の水位が下がった場合に都度、タンク１５ａ内部の水が貯水部１４に給水される。即ち、貯水部１４内の水位は一定に保たれる。
【００２１】
なお、電解水散布装置Ｄは、給水部１５としてタンク１５ａを有していなくてもよい。この場合は、電解水散布装置Ｄに対して、水を供給するラインを水道水よりひき、貯水部１４内の水位が下がった場合に、貯水部１４内の水位が所定位置に上昇するまで水道水を供給する給水部１５を設けるようにしてもよい。
【００２２】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、活性酸素種にはスーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素が含まれる。
【００２３】
電解部１７は、電気部材への電気分解するための通電を行う通電時間と、その通電停止後の時間、つまり通電を行っていない時間である非通電時間とを一周期として、その一周期を複数回繰り返すことで、電解水を生成する。電極部材に対し、非通電時間を設けることで、電極部材の寿命を延ばすことができる。なお、非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。
【００２４】
散布部１９は、送風部７と、フィルター部１６とを備える。
【００２５】
送風部７は、本体ケース１の中央部に設けられ、ファンモータ部９と、ファンモータ部９により回転するファン部１０と、それらを囲むスクロール形状のケーシング部１１とを備えている。ファンモータ部９は、ケーシング部１１に固定されている。
【００２６】
ファン部１０は、シロッコファンであり、ファンモータ部９から水平方向に延びた回転軸９ａに固定され、ファンモータ部９は、ケーシング部１１に固定されている。ファンモータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。送風部７の風量は、温度や湿度、ガスの臭いレベルに応じて、風量単位時間（例えば、５分）毎に決定される。決定された風量に基づき、ファンモータ部９の回転量が制御される。
【００２７】
フィルター部１６は、貯水部１４に貯水された水と、送風部７によって本体ケース１内に吸込まれた室内空気とを接触させる部材である。円筒状に構成され、円周部分に空気が流通可能な孔を備えたフィルター１６ａを配置し、その一端が貯水部１４の水に浸漬するように、フィルター１６ａの中心軸を回転中心として貯水部１４に回転自在に内蔵されている。そして、駆動部（図示しない）により回転され、電解水と室内空気を連続的に接触させる構造となっている。
【００２８】
風路８は、吸気口２と吹出口６とを連通し、吸気口２から順に、フィルター部１６、送風部７、吹出口６を備えている。ファンモータ部９によってファン部１０が回転すると、吸気口２から風路８内に入った外部の空気は、順に、フィルター１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、電解水由来（揮発を含む）の活性酸素種を散布するものであっても電解水散布に含まれる。
【００２９】
制御部４１は、電解部１７による水の電気分解を制御し、また、電解促進錠剤投入部１８による電解促進錠剤の投入を制御するものである。特に、制御部４１は、電解促進錠剤２０（図６）を投入する所定の投入期間が経過したかを判断し、所定の投入期間毎に電解促進錠剤投入部１８に電解促進錠剤の投入を指示する。制御部４１は、例えば、表示部３８の裏側に設けられている。この制御部４１の詳細については、図８を参照して後述する。
【００３０】
図６は、本発明の実施の形態１の電解促進錠剤投入部の分解斜視図であり、ケースの内部が見えるようにケースの一部を切り欠いた図である。図７は、電解促進錠剤投入部のケースの孔と回転体の切欠きの拡大斜視図であり、電解促進錠剤が回転体の切欠きとケースの孔とを介して落ちる図である。
【００３１】
図６〜７に示すように、電解促進錠剤投入部１８は、ケース２１と、ケースカバー２２と、回転体２３と、モータ部２４と、発光部３９と受光部４０とを有している。
【００３２】
ケース２１は、上方が開口した円形の深皿形状であり、上端部には、下方が開口した椀形状のケースカバー２２が着脱可能である。ケース２１内には、回転体２３を備え、ケースの下方には、モータ部２４を備えている。モータ部２４は、鉛直方向を回転軸方向として、ケース２１内で回転体２３を回転させる。ケース２１の底面には、軸受孔２５と、孔２６とを有している。軸受孔２５は、後述する回転体２３の回転軸２９が入る孔であり、孔２６は、電解促進錠剤２０が通過する孔である。孔２６には、孔２６の開口縁から下方に延びたガイド筒２７を設けている。
【００３３】
発光部３９は、電解促進錠剤２０が通過する孔２６及びガイド筒２７の側方であって、電解促進錠剤２０の通過方向に対して垂直に設けられる。発光部３９は、例えば赤外線ＬＥＤなどで構成され、電解促進錠剤２０の通過位置に向けて発光するように配置される。
【００３４】
受光部４０は、電解促進錠剤２０が通過する孔２６及びガイド筒２７の側方であって、孔２６を挟んで発光部３９に対向する位置に配置される。受光部４０は、受光面を電解促進錠剤２０の通過位置に向けて配置され、発光部３９の光を受光することが可能である。受光部４０は、発光部３９からの光を受光すると、当該受光した光の強度に応じて信号を出力する。受光部４０の出力信号の一体様として、例えば電解促進錠剤２０の通過によって光が遮られ、すなわち受光した光の強度が低下すると、信号の強度が低下する。
【００３５】
回転体２３は、中央部が上方に凸形状の円板である凸面部２８と、凸面部２８の中央下面から下方に延びた円筒形状の回転軸２９とを有している。凸面部２８と回転軸２９とは、樹脂材料によって一体に形成されている。凸面部２８の大きさは、ケース２１より一回り小さい大きさであり、凸面部２８の外周とケース２１の内面との間には僅かな隙間を有している。凸面部２８の周縁部には、切欠き３０を有している。この切欠き３０に電解促進錠剤２０が入りこみ、孔２６と重なったときに電解促進錠剤２０が貯水部１４へ投入される。この電解促進錠剤２０が貯水部１４内の水に溶け込むことにより、貯水部１４の水が塩化物イオンを含む水となる。なお、電解促進錠剤の一例は、塩化ナトリウムである。
電解促進錠剤  図８は、本発明の実施の形態１の電解促進錠剤投入部１８の機能ブロック図である。
【００３６】
制御部４１は、電解促進錠剤通過判定部４２と発光量調整部４３と比較部Ａ４４とを備えている。
【００３７】
電解促進錠剤通過判定部４２は、電解促進錠剤２０が通過したときの受光部４０の信号に基づいて当該電解促進錠剤２０が孔２６を通過した事を判定する。ここで信号に基づいてとは、例えば信号の減衰を意味し、つまり光の強度の低下を意味する。
【００３８】
発光量調整部４３は、発光部３９の発光量を調整する。つまり発光量調整部４３は、電解促進錠剤２０の未通過時に受光部４０からの信号が閾値Ａを超える発光量で発光部３９を発光させる。発光量調整の例としては、発光部３９の発光量が電流と比例関係であることを用いてＰＷＭを用いて出力をリニアに変動させる方法などがある。
【００３９】
比較部Ａ４４は、受光部４０が出力した信号を閾値Ａと比較し、比較結果を電解促進錠剤通過判定部４２に送信する。
【００４０】
以上の構成において、電解促進錠剤２０の通過判定は、具体的には以下のように行われる。
【００４１】
まず、電解促進錠剤２０未通過時に受光部４０からの信号が閾値Ａを超える発光量で発光部３９を発光させる。この状態で電解促進錠剤２０が通過すると、電解促進錠剤２０の通過時に受光部４０の受光量が減り、閾値Ａを下回る。閾値Ａを下回った旨は、比較部Ａ４４を介して電解促進錠剤通過判定部４２に通知され、電解促進錠剤通過判定部４２は、この減衰を検知して通過と判定する。尚、このときの閾値Ａは装置や回路構成により変動するため個別に設定する必要がある。
【００４２】
次に、発光量調整部４３が閾値Ａを超える発光量を決定するための動作フローチャートを図９に示す。なお、図９中のＳはステップを意味する。
【００４３】
例えば時間の経過によって、電解促進錠剤の投入のタイミングに入ったとき（Ｓ０）、発光部３９の発光量を０にする（Ｓ１）。なお、投入のタイミングは例えば制御部４１から別途その旨の命令を受信するが、詳細は省略する。
【００４４】
ここで、発光量が０のときには閾値Ａを超えることはありえないため、受光部４０からの信号が閾値Ａを超えた場合は、受光部４０が短絡などの異常状態にあると判断でき、表示部３８異常状態であることを使用者に伝えるために表示部３８にエラー表示を行い運転停止する（Ｓ２ＹＥＳ）。
【００４５】
発光量が０のときに閾値Ａを超えない場合（Ｓ２ＮＯ）は、正常であるため発光量Ｋを上昇させる（Ｓ３）。尚、発光量Ｋは、制御可能な発光量を細分化した定数であり、回路構成により変動するため定数としている。発光量をＫ上昇させたあと受光部４０からの信号が閾値Ａを超えたかどうかを、比較部Ａ４４を介して比較結果を取得することで、判断する（Ｓ４）。
【００４６】
受光部４０からの信号が閾値Ａを超えた場合（Ｓ４ＹＥＳ）は、閾値Ａを超えた発光量に決定し（Ｓ５）、電解促進錠剤投入運転へ移行する（Ｓ６）。なお、「閾値Ａを超えた」としているが、閾値Ａの設定によって、閾値Ａと同一の発光量に決定しても同様である。
【００４７】
閾値Ａを超えなかった場合（Ｓ４ＮＯ）は、現在の発光量が制御可能な発光上限値Ｃ以上であるかどうかを判定する（Ｓ７）。ここで発光上限値とは、最大の発光量である。
【００４８】
発光量が上限Ｃ以上の場合（Ｓ７ＹＥＳ）は、受光部４０の通信線の断線や受光部４０の寿命が考えられるため、表示部３８異常状態であることを使用者に伝えるために表示部３８にエラー表示を行い運転停止する。
【００４９】
発光量が上限Ｃ以下であった場合（Ｓ７ＮＯ）は、現在の発光量に対し再度発光量Ｋを加算するＳ３のステップにもどり以降この動作を繰り返す。つまり、発光量調整部４３は、発光部３９の光の出力を段階的に上昇させる。
【００５０】
以上の通り、第１実施形態に係る電解水散布装置Ｄでは、電解促進錠剤２０の投入運転前に毎回、発光部３９の発光量を０からスタートしＫずつ出力を上げていき、受光部４０が閾値Ａを超える発光量レベルを事前調整する。したがって、第１実施形態に係る電解水散布装置Ｄは、電解促進錠剤２０の投入運転前に毎回、発光部３９の発光量調整をおこなうため、発光部３９および受光部４０の基本性能ばらつきや、部品の経年劣化および周辺環境変化による部品特性変化でも電解促進錠剤２０の通過を検知可能となる。さらには最適な発光量で駆動するため、発光部３９を単純にＯＮ／ＯＦＦさせる構成と比べると発光部３９での無駄な電力消費を抑えられるため、発光部３９の素子寿命を延命させる効果も見込める。これにより、第１実施形態に係る電解水散布装置Ｄは、確実に電解促進錠剤２０の投入を行えるため、電解促進錠剤の自動投入によりユーザの利便性を向上させつつ、電解促進錠剤の入れ忘れを防止でき、除菌および脱臭の性能の安定を実現できる。
【００５１】
（実施の形態２）
実施の形態１において、発光部３９や受光部４０の部品性能ばらつきにより基本性能が低く、あるいは経年劣化などにより基本性能が低下して、発光部３９の発光量が閾値Ａを上回るほどに出力できない場合がある。これに対して、発光部３９の発光量をさらに上昇させる回路構成にした場合、回路構成が大掛かりになることと、消費電力上昇により発光部３９の寿命が大幅に低下してしまうなどの課題がある。これを解決するための構成を本実施の形態にて示す。
【００５２】
本実施の形態に係る電解促進錠剤投入部１８の機能ブロック図を図１０に示す。本実施の形態では、実施の形態１の構成に加えて、制御部４１は、高感度受光部４５と、比較部Ｂ４６と、記憶部４７（高感度発光量記憶部に該当）と、切替部５０とを備える。
【００５３】
高感度受光部４５は、受光部４０とは別に光の受光感度を高感度に設定した受光部である。高感度受光部４５は、受光部４０近傍の発光部３９の光を受光可能な位置に備えられる。高感度受光部４５は、発光部３９からの光を受光すると、当該受光した光の強度に応じて信号を出力する。高感度受光部４５は、受光部４０よりも感度設定を高く設定したもので、例えばフォトトランジスタを使用した場合は、コレクタにプルアップしている抵抗定数を上げることで、少ない光源でも受光しやすくすることができる。
【００５４】
比較部Ｂ４６は、高感度受光部４５からの信号を閾値Ｂと比較し、比較結果を電解促進錠剤通過判定部４２に送信する。
【００５５】
記憶部４７は、高感度受光部４５の出力が閾値Ｂを超えたときの発光量を記憶する。
【００５６】
切替部５０は、発光部３９の発光量を最大にした場合であっても受光部４０が出力する信号が光を受信した旨を示さない場合には、高感度受光部４５が出力する信号の利用に切り替える。
【００５７】
次に受光部４０及び高感度受光部４５の利用を切り替える動作フローチャートを図１１に示す。
【００５８】
電解促進錠剤の投入のタイミングに入ったとき（Ｓ０）、発光部３９の発光量を０にする（Ｓ１）。
【００５９】
ここで、発光量が０のときには受光部４０が閾値Ａ、高感度受光部４５が閾値Ｂを超えることはありえないため、受光部４０もしくは高感度受光部のどちらかが閾値を超えた場合は、短絡などの異常状態にあると判断でき、表示部３８異常状態であることを使用者に伝えるために表示部３８にエラー表示を行い運転停止する（Ｓ２ＹＥＳ）。
【００６０】
どちらも閾値を超えなかった場合（Ｓ２ＮＯ）は、発光量をＫ増加させて（Ｓ３）、受光部４０の受信を確認する（Ｓ４）。
【００６１】
ここで受光部４０からの信号が閾値Ａを超えた場合（Ｓ４ＹＥＳ）は、受光部４０の閾値Ａを超えた発光量に決定し（Ｓ５）、電解促進錠剤投入運転へ移行する（Ｓ６）。
【００６２】
受光部４０が閾値Ａを超えなかった場合（Ｓ４ＮＯ）は、発光量が上限Ｃ以上かを判定する（Ｓ７）。上限以下であった場合（Ｓ７ＮＯ）、高感度受光部４５からの信号が現在の発光量で閾値Ｂを超えたかどうかを判定する（Ｓ８）。閾値Ｂを超えた場合（Ｓ８ＹＥＳ）は、記憶部４７にその発光量を記憶し、Ｓ３のステップにもどり、発光量をＫ増加させ一連のフローを繰り返す。
【００６３】
高感度受光部４５からの信号が閾値Ｂを超えなかった場合（Ｓ８ＮＯ）は、そのままＳ３のステップまでもどる。次にＳ７において発光量が上限であった場合（Ｓ７ＹＥＳ）、発光量が上限に到るまでに高感度受光部４５からの信号が閾値Ｂを超える発光量があったかを記憶部４７と通信し確認する（Ｓ１０）。ここで高感度受光部４５も閾値Ｂを超えなかった場合（Ｓ１０ＮＯ）は、受光部４０および高感度受光部４５の断線や寿命が考えられるため表示部３８異常状態であることを使用者に伝えるために表示部３８にエラー表示を行い運転停止する。高感度受光部４５が閾値Ｂを超えた発光量があった場合（Ｓ１０ＹＥＳ）は、閾値Ｂを超えた最小の発光量で駆動することを決定する。この際、切替部５０は、電解促進錠剤通過判定部４２に対して、受光部４０、すなわち比較部Ａ４４の比較結果ではなく、高感度受光部４５、すなわち比較部Ｂ４６の比較結果を利用する旨を電解促進錠剤通過判定部４２に対して通知する。この場合、電解促進錠剤通過判定部４２は、比較部Ｂ４６の比較結果に基づいて、電解促進錠剤通過判定を行う。
【００６４】
上記構成にすることによる効果を図１２に示す。
【００６５】
図１２の受光部通過判定可能範囲に示すように、発光部３９及び受光部４０、つまり各部品の性能が図１２（ａ）に示すような一定以下の領域Ｅでは、受光部４０の信号が低すぎるため電解促進錠剤の通過判定をすることができない。
【００６６】
そこで、高感度受光部４５を使用する。高感度受光部４５は図１２（ｂ）に示すように受光部４０で判定できない領域Ｅでも電解促進錠剤の通過判定は可能である。しかし、高感度受光部４５のみを備えた場合には、各部品の基本性能がある一定以上の領域Ｆでは光が強すぎるため電解促進錠剤の通過時でも、光の減衰が低いため常に閾値Ｂを超えてしまい電解促進錠剤通過を検知できない。
【００６７】
これに対して、本発明に係る電解水散布装置Ｄでは、感度設定の異なる受光部を切り替えることができるため、図１２（ｃ）に示すように、受光部４０と高感度受光部４５の通過判定可能な領域を両方とも使用可能になる。このため、部品の性能ばらつきや経年劣化などで基本性能が低いときでも電解促進錠剤２０の通過を判定することができる。さらに発光部３９の発光量を不要に上昇させる必要がなくなることで発光部３９の高寿命化を図り、受光部４０が例えば経年劣化した際でもより高感度の高感度受光部４５が検知できなくなるまで使用代替できるため、装置としての寿命を延ばすことができる。
【００６８】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、より高感度に設定した受光部をもうひとつ設けることで３つ以上の受光部で、より広い受光可能範囲をカバーする構成にしてもよい。
【産業上の利用可能性】
【００６９】
本発明に係る電解水散布装置は、空気中の細菌、真菌、ウイルス、臭い等の除去（不活性化を含む）を行う電解水散布装置として有用である。
【符号の説明】
【００７０】
１    本体ケース
１Ａ    第１の本体側面
２    吸気口
３    パネル
４    開口
５    電解水生成部
６    吹出口
７    送風部
８    風路
９    ファンモータ部
９ａ    回転軸
１０    ファン部
１１    ケーシング部
１２    吐出口
１３    吸込口
１４    貯水部
１４ａ    タンク保持部
１５    給水部
１５ａ    タンク
１５ｂ    蓋
１６    フィルター部
１６ａ    フィルター
１７    電解部
１８    電解促進錠剤投入部
１９    散布部
２０    電解促進錠剤
２１    ケース
２２    ケースカバー
２３    回転体
２４    モータ部
２５    軸受孔
２６    孔
２７    ガイド筒
２８    凸面部
２９    回転軸
３０    切欠き
３８    表示部
３９    発光部
４０    受光部
４１    制御部
４２    電解促進錠剤通過判定部
４３    発光量調整部
４４    比較部Ａ
４５    高感度受光部
４６    比較部Ｂ
４７    記憶部
１０１    タブレットケース
１１２    収納容器
１１３    排出ドラム
１１５    薬剤
【図１】
2019025465.tif 000003
【図２】
2019025465.tif 000004
【図３】
2019025465.tif 000005
【図４】
2019025465.tif 000006
【図５】
2019025465.tif 000007
【図６】
2019025465.tif 000008
【図７】
2019025465.tif 000009
【図８】
2019025465.tif 000010
【図９】
2019025465.tif 000011
【図１０】
2019025465.tif 000012
【図１１】
2019025465.tif 000013
【図１２】
2019025465.tif 000014
【図１３】
2019025465.tif 000015